(57)【特許請求の範囲】
【請求項１】
耕土に下端が埋設されたパイプを垂直方向に保持して１列または複数列に配設し、該パイプ内の略上端部まで用土を充填し、該用土に自然薯の種芋を植付けて適宜施肥および注水しながら生育させ、成長した蔓を前記パイプ間またはパイプ近傍に立設された支柱または該支柱間に張架された誘導ネットに這わせ、収穫時には前記パイプを前記耕土から抜き取りパイプの一端を注水および空気圧により押圧して用土と生育した自然薯をパイプから取り出すことを特徴とする自然薯の栽培方法。
【請求項２】
請求項１に記載の自然薯の栽培方法において、
蔓の成長時期に誘導ネットの角度を調整することにより暴風および直射日光がパイプに直接当たることを防ぐことを特徴とする自然薯の栽培方法。
【請求項３】
請求項１または２に記載の自然薯の栽培方法において、
前記用土は、稲作水田に毎年藁をすきこんだ水田の土を利用することを特徴とする自然薯の栽培方法。
【請求項４】
請求項１乃至３のいずれかに記載の自然薯の栽培方法において、
前記種芋を植え付ける際に、雑草の種を含まない鹿沼土または籾殻を覆土したことを特徴とする自然薯の栽培方法。
【請求項５】
請求項１乃至４のいずれかに記載の自然薯の栽培方法において、
前記パイプの上部に雨よけおよび散水栓を設置して水分調整をすることを特徴とする自然薯の栽培方法。
【請求項６】
耕土に下端が埋設されて垂直方向に保持されるとともに１列または複数列に配設されたパイプと、
該パイプ列を取り外し自在に囲む枠と、
前記パイプ内に充填された用土と、
一定の間隔に設置された支柱群と、
該支柱に張架された蔓誘導ネットと、
水分調節機構と、
を備えたことを特徴とする自然薯の栽培装置。
【請求項７】
請求項６に記載の自然薯の栽培装置において、
前記パイプの端部内側を面取りしたことを特徴とする自然薯の栽培装置。
【請求項８】
請求項６乃至８のいずれかに記載の栽培装置において、
前記用土は、藁を３０％程度混入したことを特徴とする自然薯の栽培装置。
【発明の詳細な説明】
【技術分野】
【０００１】
本発明は、自然薯の栽培方法および栽培装置に関し、詳しくは栽培に要する労力を少なくするとともに、単位面積当たりの収穫量を大きくすることのできる自然薯の栽培方法および栽培装置に関する。
【背景技術】
【０００２】
従来、自然薯の栽培には、収穫の際の芋掘り作業を簡単にするため、クレバーパイプと称する断面半円形のプラスチックパイプを地中に斜めに埋設して、そのクレバーパイプ中で芋を生育させていた。しかしながら、クレバーパイプを用いた栽培であっても、初めにクレバーパイプを埋設する作業を必要とするとともに、収穫時にもクレバーパイプを掘り起こす作業が必要であり、多大な労力が必要であった。また、クレバーパイプを用いた栽培は連作ができないため、翌年は場所を変えて栽培する必要があった。
【０００３】
そこで、クレバーパイプを用いた栽培よりも、労力を少なくするとともに、連作を可能にする栽培方法として、特許文献１に記載の「自然薯の栽培方法およびその装置」が提案されている。これは、種芋の植え付けと、栽培袋の引き抜きによる収穫とが簡単かつ短時間により行なえることができる自然薯の栽培方法およびその装置を提供することを目的としている。その方法は、地中部に所定幅と所定深さからなる取付溝を形成し、この取付溝内へ内部が中空状に形成されて少なくともその上端部に開口を有する円筒体を、該開口が地表部に略位置するように多数並べて埋設し、これら円筒体内へ、用土を充填した栽培袋を該円筒体の略全長に対してそれぞれ挿入し、これら栽培袋内の用土へ種芋を撒いた後、これら円筒体上に覆土を施して成育を待ち、所定の成育に達したとき、前記覆土を取り除いて、円筒体内から栽培袋ごと自然薯を取り出して収穫するものである。また、次回目からの自然薯の栽培にあっては、既に埋設されている円筒体内への、用土が充填された栽培袋の入れ出しにより自然薯を成育させるものである。この方法により、収穫の際の芋掘り作業が不要になるとともに、連作も可能となった。
【０００４】
【特許文献１】特開平１１−７５５３３号公報
【発明の開示】
【発明が解決しようとする課題】
【０００５】
しかしながら、上述した栽培方法では、栽培の最初の年には、取付溝を掘削する作業が必要であり、多大な労力が必要であった。さらに、毎年、栽培袋内に用土を詰め込む作業が必要であり、それなりの労力が必要であった。また、栽培袋は通常連作の障害を防ぐため１年しか使用できず、毎年、廃棄しなければならず、廃棄処分の問題があった。
そこで、本発明は、栽培資材の廃棄問題がなく、かつ栽培労力がより少ない自然薯の栽培方法および栽培装置を提案することを目的とした。
【課題を解決するための手段】
【０００６】
上記課題を解決するために、本発明の自然薯の栽培方法は、耕土に下端が埋設されたパイプを垂直方向に保持して１列または複数列に配設し、該パイプ内の略上端部まで用土を充填し、該用土に自然薯の種芋を植付けて適宜施肥および注水しながら生育させ、成長した蔓を前記パイプ間またはパイプ近傍に立設された支柱または該支柱間に張架された誘導ネットに這わせ、収穫時には前記パイプを前記耕土から抜き取りパイプの一端を注水および空気圧により押圧して用土と生育した自然薯をパイプから取り出すことを特徴とする。
また、前記自然薯の栽培方法において、蔓の成長時期に誘導ネットの角度を調整することにより暴風および直射日光がパイプに直接当たることを防ぐことを特徴とする。
また、前記自然薯の栽培方法において、前記用土は、稲作水田に毎年藁をすきこんだ水田の土を利用することを特徴とする。
また、前記自然薯の栽培方法において、前記種芋を植え付ける際に、雑草の種を含まない鹿沼土または籾殻を覆土したことを特徴とする。
また、前記自然薯の栽培方法において、前記パイプの上部に雨よけおよび散水栓を設置して水分調整をすることを特徴とする。
【０００７】
本発明の自然薯の栽培装置は、耕土に下端が埋設されて垂直方向に保持されるとともに１列または複数列に配設されたパイプと、該パイプ列を取り外し自在に囲む枠と、前記パイプ内に充填された用土と、一定の間隔に設置された支柱群と、該支柱に張架された蔓誘導ネットと、水分調節機構とを備えたことを特徴とする。
ここで、前記パイプの端部内側を面取りすることが好ましい。
また、前記用土は、藁を３０％程度混入することが好ましい。
【発明の効果】
【０００８】
以上述べた本発明によれば、自然薯の栽培に用いられるパイプは下端のみが耕土に埋設されるだけであるので、種芋の植え付けのためのパイプ設置の準備作業および収穫のためのパイプの撤去作業が簡単となり、大幅の省力化が可能となる。また、パイプを複数列配設して栽培すると、単位面積当たりの収量が大幅に増大する。さらに、多雨のときはパイプが地表から突出しているため水害がない。また、暴風に対しては誘導ネットを水平にすることで蔓および葉の風被害を最小限にすることができる。
【発明を実施するための最良の形態】
【０００９】
以下、図に基づいて本発明の実施形態を説明する。
図１は本発明に係る自然薯の栽培装置を示す斜視図であり、図２は図１の要部の拡大斜視図であり、図３は図２における種芋植え付け直後のパイプの縦断面図すなわち図４のＢ−Ｂ線断面図であり、図４は図２における種芋植え付け直後のパイプの横断面図すなわち図３のＡ−Ａ線断面図であり、図５は図１において蔓の成長に応じて誘導ネットを傾けて支持している状態を示す斜視図であり、図６は生育途中での要部の拡大斜視図であり、図７は図６における生育の過程を示す縦断面図である。
【００１０】
本発明では、先ず春先に、図３および図４に示すように、自然薯が生育するのに充分な大きさである、直径１０ｃｍ、長さ１３０ｃｍ程度の硬質塩ビ製のパイプ１を、植え付ける種芋の数分用意する。パイプ１は、収穫時に自然薯に傷を付けないために、予め両端の内側を面取りしておく。次に、図３に示されるように、地面を深さ１０〜３０ｃｍ程度掘り起こし、底に刻んだ藁２を敷き、その上に後述するパイプ１内の用土と同一の用土３を戻す。その用土３に、パイプ１の下端を埋め込んで、パイプ１を垂直に立設する。
【００１１】
この作業を繰り返して、図１および図２に示されるように、順次パイプ１を並べて例えば５列または６列に配設する。次に、並べられたパイプ１の上部の外周を鉄パイプ４により囲み固定する。こうして、パイプ１が安定して保持されたら、図３に示されるように、パイプ１の上端開口部から、用土５を充填する。用土５は、水田から採取した土は、毎年藁をすきこんだものであり、藁の容積比は３０％程度である。水田の土を用いたのは、自然薯の生育に有害な菌が少ないからである。また、刻んだ藁を混ぜたのは、通気性を増すとともに、用土５のクッション性を増して、パイプ１内で自然薯が容易に生育できるようにするためである。
また、図１および図２において、パイプ１の外周を、直射日光を遮断するための遮光シートで覆うことが必要である。温度上昇を抑えるためである。
【００１２】
なお、用土５の充填量は、パイプ１の上端までとし、充填後に、パイプ１内に注水する。すると、用土５の隙間が詰まり、用土５の表面レベルが下降する。下降量が５ｃｍ程度となったら、用土５内に自然薯の種芋６を植え付ける。種芋６の大きさは５０ｇ以上が適当である。次に、パイプ１の上端の空間に、雑草の種を含まない鹿沼土または山林の堆積土７を充填する（図７参照）。これは余分な草を繁茂させないためである。図７において、寸法ａは地面を耕した深さであり約１０ｃｍ、寸法ｂはすきこんだ藁の厚さであり約３ｃｍ、寸法ｃは耕土の厚さであり約７ｃｍ、寸法ｄは用土５の沈下量すなわち覆土である鹿沼土、籾殻または山林の堆積土７の厚さであり約５ｃｍである。
なお、図示していないが、パイプ１の上部に雨よけと散水栓からなる水分調節機構を設置しておきパイプ１内の水分調整をする。
【００１３】
次に、図１および図２に示されるように、パイプ１の列方向に適間隔をおいて、複数の支柱８を立設する。支柱８の高さは５ｍ程度が好ましい。この支柱８の間に誘導ネット９を張架する。隣あう支柱８と支柱８との先端間はパイプ１０が横架されている。
なお、図５は、蔓の成長に応じて誘導ネット９を傾けて支持している状態を示し、図１の状態から支柱８の途中を切断し、支柱８から離間した位置に、支柱８の列方向と平行に、新たな支柱２２を立設し、支柱８と支柱２２との間を、パイプ１６により連結する。隣あう支柱８と支柱８との間は、パイプ１７により連結されている。
【００１４】
支柱２２の先端に、支柱８先端のパイプ１０を誘導ネット９ごと移設する。さらに、誘導ネット９の幅方向の中間位置に、パイプ１の列方向と平行に、パイプ１８を挿通させる。パイプ１８は、農業用１９ｍｍ径の鉄パイプを使用することが好ましい。
誘導ネット９の両端部と、その長さ方向の適間隔を置いた位置に、紐２１を挿通または結わえる。紐２１の一端は、支柱８に結わえられている。途中において、パイプ１８にも結わえられている。
【００１５】
紐２１は、パイプ１０を越えて、支柱２２の下部に結わえ付けられている。すなわち、紐２１を、引き下げることで、パイプ１８および誘導ネット９のレベルを調整することが可能となる。
こうしておいて、種芋６から成長してきた蔓を誘導ネット９に這わせて、その成長に応じて、紐２１を引きしぼり、パイプ１８すなわち誘導ネット９を上昇させて急傾斜にすることで、蔓の伸長を誘導することができる。また、暴風雨時には、紐２１をゆるめて、誘導ネット９を水平に保持しておくことで、自然薯の蔓や葉の受ける風被害を最小限にすることができる。
【００１６】
図１および図２のように、種芋６の植え付けを完了すると、以後、適宜、パイプ１の上端開口部から、給水、施肥を実施して、種芋６からの生育を待つ。生育が進むと、図６および図７に示されるように、種芋６から発芽した蔓１１は上に伸びて、誘導ネット９に絡み葉１２を繁らせる。同時に、種芋６からは、吸収根１３および貯蔵根１４が下方へ伸び成長する。貯蔵根１４が肥大すると自然薯１５となる。通常、自然薯１５は外径４ｃｍ程度まで肥大する。吸収根１３は、成長が進むと、その先端がパイプ１の下端から地面の用土３内にまで進出する。
【００１７】
給水や施肥は、芽が出る５月１０日頃以降は日に１回程度でよいが、花が咲く７月２０日頃からは日に２、３回が好ましい。また、１０月１０日頃からは給水や施肥は、貯蔵性を高めるため、控えるようにするのが好ましい。
こうして、パイプ１内で自然薯は成長していき、最終的には５００〜１ｋｇの大きさになる。外気温が５〜１０度位になった１１月から１２月初めに収穫する。この時期になると、葉１２や蔓１１は枯れている。収穫作業は、パイプ１を地面から抜き取る。抜き取ったパイプ１は、その一端に、水流加圧器具を接続して、圧力の変化の少ない水流で注水することで水の柱を作り片方からの水圧と空気圧とで加圧して、パイプ１内の自然薯１５を用土５とともに抜き取る。このとき、パイプ１の端部内側が面取りしてあるため、パイプ１の端部で自然薯１５が傷つけられることはない。
【００１８】
本発明の栽培方法では１反歩当たり７０００本の栽培が可能であり、従来のクレバーパイプを用いた場合の１反歩当たりの平均的な栽培数２０００本に比べて３．５倍である。また、栽培に使用した塩ビパイプは、用土を新しくすれば、毎年使用可能であり、連作が可能となる。また、栽培の際は、地面の最初の耕作が１０〜３０ｃｍの深さでよいため、クレバーパイプを用いた場合に比べて大幅な省力化が可能となり、作業者への負担が軽減される。
【図面の簡単な説明】
【００１９】
【図１】本発明に係る自然薯の栽培装置を示す斜視図である。
【図２】図１の要部の拡大斜視図である。
【図３】図２における種芋植え付け直後のパイプの縦断面図すなわち図４のＢ−Ｂ線断面図である。
【図４】図２における種芋植え付け直後のパイプの横断面図すなわち図３のＡ−Ａ線断面図である。
【図５】図１において誘導ネットを傾けて支持している状態を示す斜視図である。
【図６】生育途中での要部の拡大斜視図である。
【図７】図６における生育の過程を示す縦断面図である。
【符号の説明】
【００２０】
１  パイプ
２  藁
３  用土
４  鉄パイプ
５  用土
６  種芋
７  鹿沼土または山林の堆積土
８  支柱
９  誘導ネット
１０  パイプ
１１  蔓
１２  葉
１３  吸収根
１４  貯蔵根
１５  自然薯
１６，１７，１８  パイプ
２１  紐
２２  支柱
【要約】
【課題】  栽培資材の廃棄問題がなく、かつ栽培労力がより少ない自然薯の栽培方法および栽培装置を提案する。
【解決手段】  用土３に下端が埋設されたパイプ１を垂直方向に保持して１列または複数列に配設し、該パイプ１内の略上端部まで用土５を充填し、該用土５に自然薯の種芋６を植付けて適宜施肥および注水しながら生育させ、成長した蔓１１を前記パイプ１間またはパイプ１近傍に立設された支柱８または該支柱８間に張架された誘導ネット９に這わせ、収穫時には前記パイプ１を前記用土３から抜き取りパイプ１の一端を水流圧により押圧して用土５と生育した自然薯１５をパイプ１から取り出す。
【選択図】  図７【図１】
0004231542.tif 000002
【図２】
0004231542.tif 000003
【図３】
0004231542.tif 000004
【図４】
0004231542.tif 000005
【図５】
0004231542.tif 000006
【図６】
0004231542.tif 000007
【図７】
0004231542.tif 000008